(57)【要約】【課題】最新の市場の動向を十分に反映して発注商品及び発注数を自動的に決定する。【解決手段】インターネット上のリサーチサイトにアクセスし、同一商品分類に属する商品の商品コード、商品名、販売実績に対応した構成比等のリサーチ情報を取込むとともに同一商品分類に属する商品について発注する商品の品目数及び総発注数を入力する。この入力により、取込んだリサーチ情報を構成比の大きい順にソートして、商品コード、商品名、構成比を格納した発注情報テーブルを作成する。発注情報テーブルから発注品目数分の構成比を大きい順に読み出し、その各構成比とその合計値とから構成比分配率を求め、この構成比分配率と入力した総発注数とから各発注商品の発注数を求める。そして、発注情報テーブルから構成比の大きい順に発注品目数分の商品名、構成比を読み出し、これと構成比分配率及び発注数をテーブルに格納し、この内容をディスプレイで表示する。【選択図】      図３
2005128763.tif 000002
【特許請求の範囲】
【請求項１】
インターネット上のリサーチサイトにアクセスし、同一商品分類に属する各種商品の商品情報、販売実績に対応した構成比等のリサーチ情報を取込む情報取込み手段と、
同一商品分類に属する商品について発注する商品の品目数及び総発注数を入力する発注入力手段と、
この発注入力手段による発注品目数及び総発注数の入力により、前記情報取込み手段にて取込んだリサーチ情報を構成比の大きい順にソートして、商品情報、構成比の情報を格納した発注情報テーブルを作成する発注情報テーブル作成手段と、
前記発注情報テーブルから、入力した発注品目数分の構成比を大きい順に読み出し、その各構成比とその構成比の合計値とから構成比分配率を求め、この構成比分配率と入力した総発注数とから各発注品目商品の発注数を求める演算手段と、
前記発注情報テーブルから、構成比の大きい順に発注品目数分の商品情報、構成比の情報を読み出し、この情報と前記演算手段にて求めた構成比分配率及び発注数を一時格納するテーブルを作成する一時格納用テーブル作成手段と、
この一時格納用テーブル作成手段が作成したテーブルの内容を表示するディスプレイとを備えたことを特徴とする発注数管理装置。
【請求項２】
インターネット上のリサーチサイトにアクセスし、同一商品分類に属する各種商品の商品情報、販売実績に対応した構成比、前回の調査時からの伸び率等のリサーチ情報を取込む情報取込み手段と、
同一商品分類に属する商品について発注する商品の品目数及び総発注数を入力する発注入力手段と、
この発注入力手段による発注品目数及び総発注数の入力により、前記情報取込み手段にて取込んだリサーチ情報における各商品の構成比を伸び率で補正し、リサーチ情報を補正後の構成比の大きい順にソートして、商品情報、補正後の構成比、伸び率の情報を格納した発注情報テーブルを作成する発注情報テーブル作成手段と、
前記発注情報テーブルから、入力した発注品目数分の補正後の構成比を大きい順に読み出し、その各構成比とその構成比の合計値とから構成比分配率を求め、この構成比分配率と入力した総発注数とから各発注品目商品の発注数を求める演算手段と、
前記発注情報テーブルから、補正後の構成比の大きい順に発注品目数分の商品情報、補正後の構成比の情報を読み出し、この情報と前記演算手段にて求めた構成比分配率及び発注数を一時格納するテーブルを作成する一時格納用テーブル作成手段と、
この一時格納用テーブル作成手段が作成したテーブルの内容を表示するディスプレイとを備えたことを特徴とする発注数管理装置。
【請求項３】
インターネット上のリサーチサイトにアクセスし、同一商品分類に属する各種商品の商品情報、販売実績に対応した構成比、新商品か否か等のリサーチ情報を取込む情報取込み手段と、
同一商品分類に属する商品について発注する商品の品目数、総発注数及び新商品に対する係数を入力する発注入力手段と、
この発注入力手段による発注品目数、総発注数、新商品に対する係数の入力により、前記情報取込み手段にて取込んだリサーチ情報における各商品に新商品が含まれている場合はその商品の構成比を新商品に対する係数で補正し、リサーチ情報を補正後の構成比の大きい順にソートして、商品情報、補正後の構成比、新商品に対する係数の情報を格納した発注情報テーブルを作成する発注情報テーブル作成手段と、
前記発注情報テーブルから、入力した発注品目数分の補正後の構成比を大きい順に読み出し、その各構成比とその構成比の合計値とから構成比分配率を求め、この構成比分配率と入力した総発注数とから各発注品目商品の発注数を求める演算手段と、
前記発注情報テーブルから、補正後の構成比の大きい順に発注品目数分の商品情報、補正後の構成比の情報を読み出し、この情報と前記演算手段にて求めた構成比分配率及び発注数を一時格納するテーブルを作成する一時格納用テーブル作成手段と、
この一時格納用テーブル作成手段が作成したテーブルの内容を表示するディスプレイとを備えたことを特徴とする発注数管理装置。
【請求項４】
インターネット上のリサーチサイトにアクセスし、同一商品分類に属する各種商品の商品情報、販売実績に対応した構成比等のリサーチ情報を取込むとともに、発注入力手段にて同一商品分類に属する商品について発注する商品の品目数及び総発注数を入力し、この商品の品目数及び総発注数の入力により、取込んだリサーチ情報を構成比の大きい順にソートして、商品情報、構成比の情報を格納した発注情報テーブルを作成し、この発注情報テーブルから、入力した発注品目数分の構成比を大きい順に読み出し、その各構成比とその構成比の合計値とから構成比分配率を求め、この構成比分配率と入力した総発注数とから各発注品目商品の発注数を求め、前記発注情報テーブルから、構成比の大きい順に発注品目数分の商品名、構成比の情報を読み出し、この情報と求めた構成比分配率及び発注数をテーブルに一時格納し、このテーブルの内容をディスプレイで表示することを特徴とする発注数管理方法。
【請求項５】
コンピュータを、
インターネット上のリサーチサイトにアクセスし、同一商品分類に属する各種商品の商品情報、販売実績に対応した構成比等のリサーチ情報を取込む情報取込み手段と、
同一商品分類に属する商品について発注する商品の品目数及び総発注数を発注入力手段にて入力することで、前記情報取込み手段にて取込んだリサーチ情報を構成比の大きい順にソートして、商品情報、構成比の情報を格納した発注情報テーブルを作成する発注情報テーブル作成手段と、
前記発注情報テーブルから、入力した発注品目数分の構成比を大きい順に読み出し、その各構成比とその構成比の合計値とから構成比分配率を求め、この構成比分配率と入力した総発注数とから各発注品目商品の発注数を求める演算手段と、
前記発注情報テーブルから、構成比の大きい順に発注品目数分の商品情報、構成比の情報を読み出し、この情報と前記演算手段にて求めた構成比分配率及び発注数を一時格納するテーブルを作成する一時格納用テーブル作成手段としてとして機能させるための発注数管理プログラム。
【発明の詳細な説明】
【技術分野】
【０００１】
本発明は、ＰＯＳシステム等に適用される発注数管理装置及び発注数管理方法並びに発注数管理プログラムに関する。
【背景技術】
【０００２】
従来、スーパーやコンビニエンスストアなどの量販店において、商品を業者に発注する場合は、店長などの責任者の経験に基づいて行われていたが、これでは顧客の動向などを発注量に正しく反映できない問題があった。このため、過去の所定期間における特定の商品販売数を示す実績データを取得して販売数の予測値を生成し、例えば、当日末の在庫数が最小在庫数を下回らないで、仕入れによる補充後に最大在庫数になるように、発注時期と発注量を決定し、予測値と実際の販売個数の誤差を累積し、この累積値を用いて次回の発注量を補正するという発注量演算システムが知られている（例えば、特許文献１参照）。
【特許文献１】特開２００１−２８２９０６
【発明の開示】
【発明が解決しようとする課題】
【０００３】
しかしながら、この公報のように単に過去の所定期間における特定の商品販売数を示す実績データを取得して販売数の予測値を生成し、それに基づいて発注量を決定するものでは、最新の市場の動向を十分に反映して発注商品や発注数を決定するという点においては不十分であった。  
本発明は、最新の市場の動向を十分に反映して発注商品及び発注数を自動的に決定することができる発注数管理装置及び発注数管理方法並びに発注数管理プログラムを提供することを目的とする。
【課題を解決するための手段】
【０００４】
本発明は、インターネット上のリサーチサイトにアクセスし、同一商品分類に属する各種商品の商品コードや商品名などの商品情報、販売実績に対応した構成比等のリサーチ情報を取込む情取込み手段と、同一商品分類に属する商品について発注する商品の品目数及び総発注数を入力するキーボードなどの発注入力手段と、この発注入力手段による発注品目数及び総発注数の入力により、情報取込み手段にて取込んだリサーチ情報を構成比の大きい順にソートして、商品情報、構成比の情報を格納した発注情報テーブルを作成する発注情報テーブル作成手段と、発注情報テーブルから、入力した発注品目数分の構成比を大きい順に読み出し、その各構成比とその構成比の合計値とから構成比分配率を求め、この構成比分配率と入力した総発注数とから各発注品目商品の発注数を求める演算手段と、発注情報テーブルから、構成比の大きい順に発注品目数分の商品情報、構成比の情報を読み出し、この情報と演算手段にて求めた構成比分配率及び発注数を一時格納するテーブルを作成する一時格納用テーブル作成手段と、この一時格納用テーブル作成手段が作成したテーブルの内容を表示するディスプレイとを備えたものである。
【発明の効果】
【０００５】
本発明によれば、インターネット上のリサーチサイトから取込んだリサーチ情報に基づき最新の市場の動向を十分に反映して発注商品及び発注数を自動的に決定することができる発注数管理装置及び発注数管理方法並びに発注数管理プログラムを提供できる。
【発明を実施するための最良の形態】
【０００６】
以下、本発明の実施の形態を、図面を参照して説明する。  
図１はシステム全体の構成を示すブロック図で、インターネット１に、発注数管理機能を内蔵した発注端末２、リサーチサイトサーバ３、複数の業者端末４が接続されている。前記発注端末２は、例えば、店舗内に配置されたＰＯＳシステムにおける管理装置であるストアコントローラと別体に設けられても、あるいはストアコントローラに一体に組み込まれても良い。ここでは別体に設けられている場合について述べる。
【０００７】
リサーチサイトでは、例えば、スナック菓子、ビール、飲料水、医薬品等の商品分類を同一商品分類カテゴリーとして区分し、同一商品分類についてそれぞれ数十或いは数百という品目の市場調査を行い、商品毎に、販売実績に対応した構成比、すなわち、全品目の販売合計数に対する各品目の販売数の割合である構成比、前回の調査からの伸び率、新商品の有無等を前記リサーチサイトサーバ３に格納し、このリサーチサイトサーバ３からリサーチ情報として前記発注端末２に提供するようになっている。
【０００８】
この発注端末２に対するリサーチ情報の提供は、例えば、発注端末２を扱う店舗の経営者がリサーチサイトと契約を結んだうえで、発注端末２からアクセスしリサーチ情報をダウンロードすることで行われる。なお、リサーチ情報のダウンロードを自動化し、発注端末２が１週間毎、２週間毎或いは１ヶ月毎など定期的にリサーチサイトサーバ３にアクセスしてリサーチ情報をダウンロードするようにしてもよい。前記業者端末４はそれぞれ商品を扱う卸業者や製造メーカなどに設置した端末で、商品の発注先となる。
【０００９】
前記発注端末２は、図２に示すように、制御部本体を構成するＣＰＵ（中央処理装置）２１、このＣＰＵ２１が各部を制御するプログラムデータを格納したＲＯＭ（リード・オンリー・メモリ）２２、受信データや表示データや印字データ等を一時格納するメモリやデータを演算するときに使用するメモリや一時格納用テーブルを形成するメモリを設けたＲＡＭ（ランダム・アクセス・メモリ）２３、後述する発注情報テーブルや発注テーブルを形成するメモリを設けたＨＤＤ（ハードディスク装置）２４を備えている。
【００１０】
また、液晶ディスプレイ２５を表示制御するディスプレイコントローラ２６、発注入力手段を構成するキーボード２７からのキー信号の入力制御を行うキーボードコントローラ２８、プリンタ２９を駆動制御するプリンタコントローラ３０及び前記インターネット１に接続し、このインターネット１を介して通信を行うインターネット通信部３１を備えている。
【００１１】
前記ＣＰＵ２１、ＲＯＭ２２、ＲＡＭ２３、ＨＤＤ２４、ディスプレイコントローラ２６、キーボードコントローラ２８、プリンタコントローラ３０及びインターネット通信部３１はデータバス、アドレスバス、コントロールバスなどのバスライン３２によって互いに電気的に接続している。
【００１２】
前記発注端末２のＣＰＵ２１は、図３に示す発注数管理処理を実行するようにプログラムされている。すなわち、Ｓ１にて、初期化処理を行って使用するメモリのクリア等を行う。続いて、Ｓ２にて、発注入力処理を行い、Ｓ３にて、発注最適化情報獲得処理を行い、最後に、Ｓ４にて、発注最適化処理を行い、最適な商品について適切な数量の発注データを作成する。前記発注端末２は、このようにして作成した発注商品、発注数量に基づいてインターネット通信部３１を制御し、それぞれ該当する業者端末４に対して商品の発注を行うようになっている。
【００１３】
Ｓ２の発注入力処理をさらに詳しく説明すると、スナック菓子などあるカテゴリーの選択を行うと、図４に示すように、Ｓ１１にて、初期処理が行われ、一時格納用テーブルを作成する領域がクリアされる。続いて、Ｓ１２にて、キーボード２７を操作して発注品目数、新商品に対する係数、総発注数を入力する。続いて、Ｓ１３にて、最適化方法を指定する。最適化方法の指定では、例えば、構成比のみを使用して発注処理を行うのか、構成比を伸び率で補正した補正構成比を使用して発注処理を行うのか、構成比を新商品に対する係数で補正した補正構成比を使用して発注処理を行うのかを決める。
【００１４】
Ｓ３の発注最適化情報獲得処理をさらに詳しく説明すると、図５に示すように、Ｓ２１にて、リサーチサイトサーバ３から該当する商品分類カテゴリーのリサーチ情報をダウンロードし、ＨＤＤ２４に保存する。続いて、Ｓ２２、Ｓ２３にて、指定した最適化方法が構成比のみを使用するものか、構成比に伸び率を乗算して補正した構成比を使用するものか、構成比に新商品に対する係数を乗算して補正した構成比を使用するものかを判断する。
【００１５】
指定した最適化方法が構成比のみを使用するものであれば、Ｓ２４にて、最適化処理を行うが、この最適化処理は、図６に基づいて行われる。  
すなわち、Ｓ２４１にて、取込んだリサーチ情報を構成比の大きい順にソートして図１０に示すような発注情報テーブル２４１を作成する。発注情報テーブル２４１としては、構成比の他に、Ｊａｎコード及び商品名の商品情報、伸び率、新商品係数の情報が格納される。なお、新商品係数については、新商品の場合は係数として「３．０」が設定され、通常商品の場合は係数として「１．０」が設定される。
【００１６】
続いて、Ｓ２４２にて、発注情報テーブル２４１に格納された情報から、発注品目数分、例えば、発注品目数として６品目を入力していれば、上位６品目の商品名と構成比をピックアップして読み出し、ＲＡＭ２３上に図１１に示す構成の一時格納用テーブル２３１を作成し格納する。なお、この時点では商品名と構成比のみが格納され、構成比分配率、発注数はまだ格納されていない。そして、一時格納用テーブル２３１の内容を液晶ディスプレイ２５に表示する。また、ＨＤＤ２４上に発注テーブルを作成し、一時格納用テーブル２３１と同じ内容を発注テーブルにも格納する。
【００１７】
また、指定した最適化方法が構成比と伸び率を乗算させて補正した構成比を使用するものであれば、Ｓ２５にて、最適化処理を行うが、この最適化処理は、図７に基づいて行われる。  
すなわち、Ｓ２５１にて、取込んだリサーチ情報の構成比と伸び率を乗算して補正構成比を求める。そして、この補正構成比の大きい順にソートして図１２に示すような発注情報テーブル２４２を作成する。発注情報テーブル２４２としては、補正構成比、構成比の他に、Ｊａｎコード、商品名、伸び率、新商品係数の情報が格納される。なお、新商品係数については、新商品の場合は係数として「３．０」が設定され、通常商品の場合は係数として「１．０」が設定される。
【００１８】
続いて、Ｓ２５２にて、発注情報テーブル２４２に格納された情報から、発注品目数分、例えば、発注品目数として６品目を入力していれば、上位６品目の商品名と補正した構成比をピックアップして読み出し、ＲＡＭ２３上に図１３に示す構成の一時格納用テーブル２３２を作成し格納する。なお、この時点では商品名と構成比のみが格納され、構成比分配率、発注数はまだ格納されていない。そして、一時格納用テーブル２３２の内容を液晶ディスプレイ２５に表示する。また、ＨＤＤ２４上に発注テーブルを作成し、一時格納用テーブル２３２と同じ内容を発注テーブルにも格納する。
【００１９】
また、指定した最適化方法が構成比と新商品係数を乗算させて補正した構成比を使用するものであれば、Ｓ２６にて、最適化処理を行うが、この最適化処理は、図８に基づいて行われる。  
すなわち、Ｓ２６１にて、取込んだリサーチ情報の構成比と新商品係数を乗算して補正構成比を求める。そして、この補正構成比の大きい順にソートして図１４に示すような発注情報テーブル２４３を作成する。発注情報テーブル２４３としては、補正構成比、構成比の他に、Ｊａｎコード、商品名、伸び率、新商品係数の情報が格納される。なお、新商品係数については、新商品の場合は係数として「３．０」が設定され、通常商品の場合は係数として「１．０」が設定される。
【００２０】
続いて、Ｓ２６２にて、発注情報テーブル２４３に格納された情報から、発注品目数分、例えば、発注品目数として６品目を入力していれば、上位６品目の商品名と補正した構成比をピックアップして読み出し、ＲＡＭ２３上に図１５に示す構成の一時格納用テーブル２３３を作成し格納する。なお、この時点では商品名と構成比のみが格納され、構成比分配率、発注数はまだ格納されていない。そして、一時格納用テーブル２３３の内容を液晶ディスプレイ２５に表示する。また、ＨＤＤ２４上に発注テーブルを作成し、一時格納用テーブル２３３と同じ内容を発注テーブルにも格納する。
【００２１】
Ｓ４の発注最適化処理をさらに詳しく説明すると、図９に示すように、Ｓ３１にて、一時格納用テーブル２３１（２３２，２３３）の構成比或いは補正構成比の合計を算出する。そして、Ｓ３２にて、構成比の合計値と各発注商品の構成比とから、各発注商品における構成比分配率を求める。この構成比分配率の合計は１００％になる。最後に、Ｓ３３にて、構成比分配率と入力した総発注数とから、各発注商品の最適発注数を求める。各発注商品の最適発注数の合計は総発注数になる。
【００２２】
こうして求めた、各発注商品の構成比分配率及び最適発注数は一時格納用テーブル２３１（２３２，２３３）に格納されて液晶ディスプレイ２５に表示される。また、一時格納用テーブル２３１（２３２，２３３）の内容を発注テーブルにも格納する。
【００２３】
このような構成の発注端末２において、商品分類が同一カテゴリーの商品についてリサーチ情報がダウンロードされている状態で、例えば、発注品目数６個、総発注数４３０個と入力する。また、最適化方法として構成比のみを指定する。
【００２４】
これにより、リサーチ情報が構成比の大きい順にソートされて発注情報テーブル２４１が作成される。そして、上位６品目がピックアップされて一時格納用テーブル２３１が作成される。一時格納用テーブル２３１に格納された発注６品目の構成比の合計は、３３．１１％となっている。発注６品目の構成比は、それぞれ、７．２７％、５．８６％、５．６９％、４．９７％、４．８８％、４．４４％となっているので、その構成比分配率は、それぞれ、２１．９５％、１７．７０％、１７．１９％、１５．０１％、１４．７４％、１３．４１％となる。従って、発注６品目の最適な発注数は、９４個、７６個、７４個、６５個、６３個、５８個となり、総合計は４３０個となる。
【００２５】
また、最適化方法として構成比を伸び率で乗算することを指定すると、リサーチ情報から商品毎に構成比と伸び率が読み出され、乗算されて補正構成比が求められる。そして、リサーチ情報が補正構成比の大きい順にソートされて発注情報テーブル２４２が作成され、さらに、上位６品目がピックアップされて一時格納用テーブル２３２が作成される。
【００２６】
一時格納用テーブル２３２に格納された発注６品目の補正構成比の合計は、５６．３７％となっている。発注６品目の補正構成比は、それぞれ、１５．２８％、１０．７８％、１０．５６％、７．７８％、６．４４％、５．５３％となっているので、その構成比分配率は、それぞれ、２７．１２％、１９．１２％、１８．７３％、１３．８０％、１１．４２％、９．８１％となる。従って、発注６品目の最適な発注数は、１１７個、８２個、８１個、５９個、４９個、４２個となり、総合計は４３０個となる。
【００２７】
また、最適化方法として構成比を新商品に対応した係数で乗算することを指定すると、リサーチ情報から商品毎に構成比と係数が読み出され、乗算されて補正構成比が求められる。そして、リサーチ情報が補正構成比の大きい順にソートされて発注情報テーブル２４３が作成され、さらに、上位６品目がピックアップされて一時格納用テーブル２３３が作成される。
【００２８】
一時格納用テーブル２３３に格納された発注６品目の補正構成比の合計は、３５．０３％となっている。発注６品目の補正構成比は、それぞれ、７．２７％、６．３６％、５．８６％、５．６９％、４．９７％、４．８８％となっているので、その構成比分配率は、それぞれ、２０．７５％、１８．１６％、１６．７３％、１６．２４％、１４．１９％、１３．９３％となる。従って、発注６品目の最適な発注数は、８９個、７８個、７２個、７０個、６１個、６０個となり、総合計は４３０個となる。
【００２９】
このような発注処理を複数の商品分類カテゴリーについて行い、それぞれ設定された発注品目数、総発注数、最適化方法に基づいて、発注商品の発注数が決められ、最終的に発注テーブルに格納される。従って、発注したい複数の商品分類カテゴリーに対して発注処理を行い、発注テーブルの内容をプリンタ２９によって印刷すれば発注商品の一覧が商品分類カテゴリー毎に区分されて表示される。従って、発注端末２の操作者はこの一覧表を見て該当する業者端末４に該当する商品を発注数に従って発注することになる。
【００３０】
このように、リサーチサイトで検索したリサーチ情報の構成比、伸び率、新商品の有無を利用し、最初に発注品目数と総発注数を入力することで発注する商品及び発注数を自動的に決めることができる。従って、最近の市場動向を十分に反映した商品の発注が可能になる。しかも、発注商品及び発注数を予め設定して入力するような面倒はなく、操作は極めて簡単となる。そして、発注の最適な処理の方法を、構成比のみにするか、構成比に伸び率を加味させるか、構成比に新商品の有無を加味させるかを発注者が選択して決めているので、発注者が要望する最適な発注品目と発注数を決めることができる。
【００３１】
また、最初に発注品目数と総発注数を入力することで発注する商品及び発注数を自動的に決めることができるので、例えば、店で今までに販売していなかった新たな商品分類カテゴリーの商品を扱う場合に、どのような商品をどの位の数量発注するかを決める場合に極めて有用である。また、常に売れ筋の商品を適当な量だけ販売するような店舗においても極めて有用である。
【図面の簡単な説明】
【００３２】
【図１】本発明の実施の形態に係るシステム全体の構成を示すブロック図。
【図２】同実施の形態における発注端末の構成を示すブロック図。
【図３】同実施の形態における発注端末の発注数管理処理を示す流れ図。
【図４】図３の発注入力処理を示す流れ図。
【図５】図３の発注最適化情報獲得処理を示す流れ図。
【図６】図４の構成比のみによる最適化処理を示す流れ図。
【図７】図４の構成比と伸び率との乗算による最適化処理を示す流れ図。
【図８】図４の構成比と新商品係数との乗算による最適化処理を示す流れ図。
【図９】図３の発注数管理処理における発注最適化処理を示す流れ図。
【図１０】同実施の形態における構成比のみによる最適化処理によって作成される発注情報テーブルの例を示す図。
【図１１】同実施の形態における構成比のみによる最適化処理によって作成される一時格納用テーブルの例を示す図。
【図１２】同実施の形態における構成比と伸び率との乗算による最適化処理によって作成される発注情報テーブルの例を示す図。
【図１３】同実施の形態における構成比と伸び率との乗算による最適化処理によって作成される一時格納用テーブルの例を示す図。
【図１４】同実施の形態における構成比と新商品係数との乗算による最適化処理によって作成される発注情報テーブルの例を示す図。
【図１５】同実施の形態における構成比と新商品係数との乗算による最適化処理によって作成される一時格納用テーブルの例を示す図。
【符号の説明】
【００３３】
２…発注端末、２１…ＣＰＵ（中央処理装置）、２５…液晶ディスプレイ、２７…キーボード、２３１，２３２，２３３…一時格納用テーブル、２４１，２４２，２４３…発注情報テーブル。
【図１】
2005128763.tif 000003
【図２】
2005128763.tif 000004
【図３】
2005128763.tif 000005
【図４】
2005128763.tif 000006
【図５】
2005128763.tif 000007
【図６】
2005128763.tif 000008
【図７】
2005128763.tif 000009
【図８】
2005128763.tif 000010
【図９】
2005128763.tif 000011
【図１０】
2005128763.tif 000012
【図１１】
2005128763.tif 000013
【図１２】
2005128763.tif 000014
【図１３】
2005128763.tif 000015
【図１４】
2005128763.tif 000016
【図１５】
2005128763.tif 000017